(57)【要約】      （修正有）【課題】蒸し菓子が中枠である箱体に付着せず、又、蒸し上がった菓子の形状が変形したりする事も無く、蒸し菓子が箱体から綺麗に外れ、且つ、手に触れる事なく、衛生的で、食する際にお皿や敷紙を必要としない蒸し菓子用包装箱を開発・提供する。【解決手段】中枠は、やや硬質の紙材であって、紙材の両面に樹脂フィルムでコーティングした素材に、適当に水分を吸収する耐油紙６を貼合した素材で箱体に形成した本体Ｘを設け、本体の底面にはやや大きめの通気穴を一箇所穿設し、本体側面の当接部には余片を設けず、それぞれ各隅角部で当接する側面４を設け、且つ、製品Ａを蒸す時は本体底部上面に耐油紙を敷設し、蒸した後は、製品の上面に耐油紙を覆い、本体の上部に樹脂製の上蓋５を被覆して設け、これを更に包装袋７に自動包装したものである。【選択図】図５
0003131618.tif 000002
【実用新案登録請求の範囲】
【請求項１】
蒸し菓子の中枠に上蓋を設けた包装箱において、該包装箱の中枠は、やや硬質の紙材（１ａ）であって、該紙材の両面に樹脂フィルム（１ｂ）でコーティングした素材（１）に、適当に水分を吸収する耐油紙（１ｃ）を貼合した素材で箱体に形成した本体（Ｘ）を設け、該本体の底面（２）にはやや大きめの通気穴（３）を一箇所穿設し、該本体側面の当接部には余片を設けず、それぞれ各隅角部で当接する側面（４）を設け、且つ、製品を蒸す時は本体底部上面に耐油紙（６）を敷設し、蒸した後は、製品の上面に耐油紙（６）を覆い、本体（Ｘ）の上部に樹脂製の上蓋（５）を被覆して設け、これを更に包装袋（７）で包装した事を特徴とする蒸し菓子用包装箱。
【考案の詳細な説明】
【技術分野】
【０００１】
この考案は、蒸し菓子の製造に使用する、蒸し菓子用包装箱に関するものである。
【背景技術】
【０００２】
従来、泉州地方独特の蒸し菓子『村時雨』を製造する際には、木製の蒸籠（せいろ）に調合した材料を入れ、蒸して製造するものであるが、この欠点としては、蒸籠の木の臭いや蒸籠の木片が混入して製品につき、購買者からクレームが最も多い原因と成っていた。
【０００３】
又、従来の製造工程では、製品を蒸し上げた後、蒸籠から一度木の板上に取り出して、少し熱をとってから中枠に移すという工程をとっており、その作業が煩雑であった。
【０００４】
そして、この製法では蒸し上がった製品に、作業者が直接手を触れる事に成り、又、製品を掴む為に少し冷ます時間をとる為、酵母菌の付着の対策上、不充分な点があり、衛生上問題があった。
【０００５】
その為、本願の出願人は、やや硬質の紙材であって、該紙材に樹脂フィルムでコーティングした素材で箱体を形成し、該箱体の底面には複数の通気穴を設け、箱体の側面の当設部には余片（Ｂ）を設けたものを開発した。（特許文献１を参照。）
【特許文献１】登録実用新案第３０２９５６１号公報
【０００６】
しかし、この製品も、箱体の素材にある紙材樹脂フィルムをコーティングする事によって、蒸し菓子の仕上がりは良いが、中枠の樹脂フィルム面に、蒸し上がった菓子が付着するとの苦情が多くあった。
【０００７】
更に、箱体の側面の当接部には、余片（Ｂ）を設けているが、それらの余片（Ｂ）が、蒸し菓子の原料を箱内に充填する際に、箱体の内側に移動してしまい、蒸し上がった菓子の間に余片が入る事があり（図６を参照）、蒸し菓子の角部が欠けたり、変形する等の欠点があった。
【０００８】
又、現状では中蓋を外箱に入れてフィルム包装をしている為、工数的にも手間が掛かり、又、製品（蒸し菓子）を召し上がる側からみても、煩わしさが残る等の問題がある。
【考案の開示】
【考案が解決しようとする課題】
【０００９】
そこで、上記課題を解決する為に、この考案は、上記の各欠点を除去し、蒸し菓子が中枠である箱体に付着せず、又、蒸し上がった菓子の形状が変形したりする事も無く、蒸し菓子が箱体から綺麗に外れ、且つ、手に触れる事なく、衛生的で、食する際にお皿や敷紙を必要としない蒸し菓子用包装箱を開発・提供する事にある。
【課題を解決するための手段】
【００１０】
この課題を解決する為の手段として、中枠は、やや硬質の紙材であって、該紙材の両面に樹脂フィルムでコーティングした素材に、適当に水分を吸収する耐油紙を貼合した素材で箱体に形成した本体を設け、該本体の底面にはやや大きめの通気穴を一箇所穿設し、該本体側面の当接部には余片を設けず、それぞれ各隅角部で当接する側面を設け、且つ、製品を蒸す時は本体底部上面に耐油紙を敷設し、蒸した後は、製品の上面に耐油紙を覆い、本体の上部に樹脂製の上蓋を被覆して設け、これを更に包装袋に自動包装したものである。
【考案の効果】
【００１１】
この考案の効果として、中枠は、やや硬質の紙材であって、該紙材の両面に樹脂フィルムでコーティングした素材に、適当に水分を吸収する耐油紙を貼合した素材で箱体に形成した本体を設け、該本体の底面にはやや大きめの通気穴を一箇所穿設し、該本体側面の当接部には余片を設けず、それぞれ各隅角部で当接する側面を設け、且つ、製品を蒸す時は本体底部上面に耐油紙を敷設し、蒸した後は、製品の上面に耐油紙を覆い、本体の上部に樹脂製の上蓋を被覆して設け、これを更に包装袋に自動包装し、且つ、召し上がる時は、包装袋から取り出し、上蓋と耐油紙を取り除き、箱体を拡げる事によりお皿や敷紙を不要とし、又、変形した蒸し菓子にならず、更に中枠から綺麗に外れ、更に直接製品に触れる頻度が減少する為、衛生的である等、極めて有益なる効果を奏するものである。
【考案を実施するための最良の形態】
【００１２】
この考案の最良の形態として、中枠の材質や寸法形状は製造工程や品質・コスト等を考慮し、且つ、消費者の立場から最も喜ばれ、扱い易い物にする事が重要である。
【実施例１】
【００１３】
そこで、この考案の一実施例を図１〜図５に基づいて詳述すると、蒸し菓子の中枠に上蓋を設けた包装箱において、該包装箱の中枠は、やや硬質の紙材（１ａ）であって、該紙材の両面に樹脂フィルム（１ｂ）でコーティングした素材（１）に、適当に水分を吸収する耐油紙（１ｃ）を貼合した素材で箱体に形成した本体（Ｘ）を設け、該本体の底面（２）にはやや大きめの通気穴（３）を一箇所穿設し、該本体側面の当接部には余片を設けず、それぞれ各隅角部で当接する側面（４）を設け、且つ、製品を蒸す時は本体底部上面に耐油紙（６）を敷設し、蒸した後は、製品の上面に耐油紙（６）を覆い、本体（Ｘ）の上部に樹脂製の上蓋（５）を被覆して設け、これを更に包装袋（７）に自動包装した事を特徴とする蒸し菓子用包装箱から構成される。
【００１４】
次に、この考案の詳細について説明すると、図１・図２に示す様に、本体（Ｘ）の寸法形状は、縦約４７ｍｍ×横約４７ｍｍ×高さ約３２ｍｍで、本体底面（２）部の通気穴（３）は、直径約２５ｍｍで、製品（Ａ）の上下部に敷設する耐油紙（６）は、縦約４５ｍｍ×横約４５ｍｍである。
【００１５】
そして、図３に示す、本体（Ｘ）の上部に被覆して設けた透明樹脂製の上蓋（５）の寸法形状は、縦約５０ｍｍ×横約５０ｍｍ×高さ約１３ｍｍで、蓋を被せ易くする為に、四方を若干末広がりに形成し、下端部に若干のＲ形状を設けている。尚、上記（００１４）の製品（Ａ）とは、蒸し菓子である。
【産業上の利用可能性】
【００１６】
この考案の蒸し菓子用包装箱は、蒸し菓子が中枠である箱体に付着せず、又、蒸し上がった菓子の形状が変形したりする事も無く、蒸し菓子が箱体から綺麗に外れ、且つ、衛星的で、召し上がる際にお皿や敷紙を必要としない為、製造技術を確立し、製造、販売する事により、多くの製菓市場に寄与する点で産業上の利用可能性を有する。
【図面の簡単な説明】
【００１７】
【図１】この考案の一実施例を示し、本体の展開平面図である。
【図２】この考案の一実施例を示し、本体の斜視図である。
【図３】この考案の一実施例を示し、上蓋の斜視図である。
【図４】この考案の一実施例を示し、包装要領を示す斜視図である。
【図５】この考案の一実施例を示し、包装時の一部欠截斜視図である。
【図６】この考案の従来例を示し、使用状態を示す斜視図である。
【符号の説明】
【００１８】
１  コーティング素材
１ａ  やや硬質の素材
１ｂ  樹脂フィルム
１ｃ  適当に水分を吸収する耐油紙
２  底面
３  通気穴
４  側面
５  上蓋
６  耐油紙
７  包装袋
Ａ  製品
Ｂ  余片
Ｘ  本体
【図１】
0003131618.tif 000003
【図２】
0003131618.tif 000004
【図３】
0003131618.tif 000005
【図４】
0003131618.tif 000006
【図５】
0003131618.tif 000007
【図６】
0003131618.tif 000008